(57)【要約】【課題】漏出のない安定した状態での液の移し替が可能であり、しかも移し替の際の取り扱いも容易で、更に、構造も極めて簡単で安価に製造できる薄肉の容器本体に付設する注出栓を提案する。【解決手段】薄肉の容器本体２に付設する注出栓３であって、筒状の栓本体５と、該本体の押し込み可能位置に被着したキャップ６と、該キャップの押し込みを妨害する除去可能なスペーサ７とを備えている。また、容器本体内外を閉塞する除去板部13と、キャップ６の押し込み時に除去板部を押圧開封する突部19とを設け、又、開封後の液通路20を設けた。そして、キャップ６を容器本体２に対して押し込むことにより開封して使用する如く構成した。【選択図】図２
2005313936.tif 000002
【特許請求の範囲】
【請求項１】
薄肉の容器本体２に付設する注出栓３であって、筒状の栓本体５と、該栓本体５の押し込み可能位置に被着したキャップ６と、該キャップ６の押し込みを妨害する除去可能なスペーサ７とを備え、前記栓本体５の先端部と前記キャップ６の頂部の何れか一方に前記容器体１内外を閉塞する除去板部13を設けるとともに、他方に前記キャップ６の押し込み時に前記除去板部13を押圧開封する突部19及び液を流通する通液路20を設けたことを特徴とする注出栓。
【請求項２】
前記キャップ６を詰め替え対象口部27内に挿入可能に構成してなる請求項１記載の注出栓。
【請求項３】
前記キャップ６外周に詰め替え対象口部27の頂面に当接する当接面ａを形成してなる請求項１記載の注出栓。
【請求項４】
前記スペーサ７を前記キャップ６下面に切り取り可能に連結して一体に形成してなる請求項１記載の注出栓。
【請求項５】
詰め替え対象口部27に嵌合させた際に通気路を形成する凹溝23を前記キャップ６外面に設けてなる請求項１記載の注出栓。
【請求項６】
前記栓本体５の先端部内周に周囲を薄肉破断部15で連結した前記除去板部13を設け、前記キャップ頂壁17に基端を開口した筒状をなす前記突部19を垂設し、該突部19内を前記通液路20としてなる請求項１記載の注出栓。
【請求項７】
前記薄肉破断部15の一部を易屈曲性のヒンジ14として破断不能に形成するとともに、前記突部19の先端を前記ヒンジ14形成側から対向側へ傾斜上昇する傾斜面としてなる請求項6 記載の注出栓。
【請求項８】
前記キャップ頂壁17に周囲を薄肉破断部15で囲成した前記除去板部13を設け、前記栓本体５の先端部より突設した連結片28により前記栓本体５の先端に突設支持した前記突部19を設け、前記突部19周囲に前記通液路20を形成してなる請求項１記載の注出栓。
【請求項９】
前記容器本体２をフィルムを用いて溶着製袋してなる請求項１記載の注出栓。
【請求項１０】
前記容器本体２をブロー成形により薄肉に形成してなる請求項１記載の注出栓。
【発明の詳細な説明】
【技術分野】
【０００１】
本発明は注出栓に関し、詳しくは、収納液の他の容器等への移し替えを容易に行える薄肉の容器本体に付設した注出栓に関する。
【背景技術】
【０００２】
薄肉容器として、複数のフィルムを融着することにより製袋し、注口部を一体に形成したものが知られており（特許文献１）、また、薄肉容器本体とは別体に設けたスパウトを熱溶着したものが知られている（特許文献２）。
【０００３】
前者の薄肉容器は例えば一対の側壁フィルムと二つ折りの底部フィルムとを融着一体化して形成し、上部コーナーに先端を閉塞した筒形態の注口部を一体に形成している。また、後者に於いてスパウトは、薄肉容器側壁部に融着した基部と、該基部から外方に向かって延び外周面にねじ山を有する注出筒と、注出筒の端面に熱溶着されるシール部材と、注出筒外周面のねじ山とねじ嵌合されるキャップと、該キャップの内面に設けられた注出筒端面に液密に当接するコンタクトリングとを備えている。
【０００４】
従来の薄肉容器のうち前者では、注口部を切断して注口を開口し、他の容器の口部に注口より収納液を注入する。また、後者では、キャップを外して他の容器の口部に収納液を注入する。
【特許文献１】特開２００２−１７９０８４号公報
【特許文献２】特開２００２−１０４４４６号公報
【発明の開示】
【発明が解決しようとする課題】
【０００５】
薄肉容器は詰め替え用或いは使い捨て用を目的とするものが多く、その為安価に製造できることを要求され、そのフィルムはできるだけ薄いものが好ましく使用される。そのため内容物の充填時でも比較的保形性に乏しい場合が多く、詰め替え時に不安定な状態で液を漏らす場合がある。
【０００６】
本発明は上記した点に鑑みてなされたもので、漏出がない安定した状態での液の移し替が可能であり、しかも移し替の際の取り扱いも容易であり、更に、構造も極めて簡単で安価に製造できる注出栓を提案するものである。
【課題を解決するための手段】
【０００７】
第１の手段として、本発明注出栓は、上記課題を解決するため、薄肉の容器本体２に付設する注出栓３であって、筒状の栓本体５と、該栓本体５の押し込み可能位置に被着したキャップ６と、該キャップ６の押し込みを妨害する除去可能なスペーサ７とを備え、前記栓本体５の先端部と前記キャップ６の頂部の何れか一方に前記容器本体２内外を閉塞する除去板部13を設けるとともに、他方に前記キャップ６の押し込み時に前記除去板部13を押圧開封する突部19及び液を流通する通液路20を設けたことを特徴とする。
【０００８】
第２の手段として、前記第１の手段に於いて、前記キャップ６を詰め替え対象口部27内に挿入可能に構成した。
【０００９】
第３の手段として、前記第１の手段に於いて、前記キャップ６外周に詰め替え対象口部27の頂面に当接する当接面ａを形成した。
【００１０】
第４の手段として、前記第１の手段に於いて、前記スペーサ７を前記キャップ６下面に切り取り可能に連結して一体に形成した。
【００１１】
第５の手段として、前記第１の手段に於いて、詰め替え対象口部27に嵌合させた際に通気路を形成する凹溝23を前記キャップ６外面に設けた。
【００１２】
第６の手段として、前記第１の手段に於いて、前記栓本体５の先端部内周に周囲を薄肉破断部15で連結した前記除去板部13を設け、前記キャップ頂壁17に基端を開口した筒状をなす前記突部19を垂設し、該突部19内を前記通液路20とした。
【００１３】
第７の手段として、前記第６の手段に於いて、前記薄肉破断部15の一部を易屈曲性のヒンジ14として破断不能に形成するとともに、前記突部19の先端を前記ヒンジ14形成側から対向側へ傾斜上昇する傾斜面とした。
【００１４】
第８の手段として、前記第１の手段に於いて、前記キャップ頂壁17に周囲を薄肉破断部15で囲成した前記除去板部13を設け、前記栓本体５の先端部より突設した連結片28により前記栓本体５の先端に突設支持した前記突部19を設け、前記突部19周囲に前記通液路20を形成した。
【００１５】
第９の手段として、前記第１の手段に於いて、前記容器本体２をフィルムを用いて溶着製袋した。
【００１６】
第１０の手段として、前記第１の手段に於いて、前記容器本体２をブロー成形により薄肉に形成した。
【発明の効果】
【００１７】
本発明の注出栓は、薄肉の容器本体３に付設して使用すれば、スペーサ７を取り外し、栓本体５に対してキャップ６を押し込むという簡単な操作で開封でき、容易に液の詰め替えを行えるものであり、その構造も簡単で容易に製造できるものである。また、キャップ６を詰め替え対象口部27に挿入可能に構成すれば、詰め替え対象口部27内にキャップ６を挿入した状態で除去板部13の開封を行うことができ、開封が容易であるとともに、そのままの状態で詰め替えが行えるため、全く液漏れの心配がなく詰め替えを行えるものである。その場合のキャップ６外周に詰め替え対象口部27の頂面に当接する当接面ａを形成すれば、キャップ６を詰め替え対象口部27内に安定した状態で固定でき、より容易な開封が行える。
【００１８】
また、前記スペーサ７を前記キャップ６下面に切り取り可能に連結して一体に形成した場合には、注出栓３を二部材で構成できるため、製造上，組み付けの上でより生産性が向上し、コストも低下する。しかも、装着した容器の未使用を表現できる利点もある。
【００１９】
また、詰め替え対象口部27に嵌合させた際に通気路を形成する凹溝23を前記キャップ６外面に設けた場合には、キャップ６外周が口部27に密嵌して安定した状態で固定しても凹溝23で形成される通気路により置換空気が排出されるため詰め替えがより行い易くなり、然も凹溝23はキャップ６成形時に一体に簡単に製造できるため製造上の邪魔となることもなく、外観も損なわない。
【００２０】
また、栓本体５の先端部内周に周囲を薄肉破断部15で連結した除去板部13を設け、キャップ頂壁17に基端を開口した筒状をなす突部19を垂設し、該突部19内を前記通液路20とした場合には、通液路20を出来るだけ広く構成でき、詰め替えの効率をより向上させることができ、その場合薄肉破断部15の一部を易屈曲性のヒンジ14として破断不能に形成するとともに、前記突部19の先端を前記ヒンジ14形成側から対向側へ傾斜上昇する傾斜面とした場合には、開封した除去板部13を突部19により一方に押さえつけておくことができ、除去板部13が液の流通の邪魔をするのを確実に防止できる。
【００２１】
また、キャップ頂壁17に周囲を薄肉破断部15で囲成した除去板部13を設け、栓本体５の先端部より突設した連結片28により栓本体５の先端中央部に突設支持した突部19を設け、突部19周囲に前記通液路20を形成した場合には、キャップ頂部に前記通液路20がないためシール材等の必要がない。
【発明を実施するための最良の形態】
【００２２】
以下、本発明の実施例の形態を図面を参照して説明する。
【００２３】
図面に於いて１は薄肉容器であり、容器本体２と、注出栓３とを備えている。
【００２４】
容器本体２は、注出栓３を付設させるための薄肉のものであれば種々の形態のものを適用でき、例えば、複数のフィルムを用いて溶着製袋した袋状のものや、ブロー成形により形成されたボトル状或いは袋状のものが適用でき、これらに限られない。図１の実施形態では、複数のフィルムを所定の縁部で融着して製袋した例で、矩形状の二枚のフィルムの周囲をヒートシール等の適宜溶着手段により溶着してシール部４を形成することにより内部に収納部Ａを画成して製袋している。製袋の例として図示しないが、二枚の側壁用フィルムと、一枚の底壁用フィルムを各周縁部を溶着することにより起立可能に製袋した所謂スタンディング薄肉容器の形態を採用することも可能である。
【００２５】
注出栓３は、合成樹脂等により形成されたもので、栓本体５と、キャップ６と、スペーサ７とを備えている。
【００２６】
栓本体５は、前記容器本体２の縁部のシール部４の一部に一端外周を溶着固定した筒状をなしている。図示例に於いて栓本体５は、筒部８の下部両側より容器本体２への固定性を向上する目的で板部９を突設し、その上面位置に補強フランジ10を周設しており、板部９及び該板部９と連続する筒部８下部を被覆する状態で容器本体２を構成するフィルムを融着固定している。また、補強フランジ10の上方には支持フランジ11を周設し、その上面をスペーサ７の下面を当接してキャップ６の押し込みを防止させる係止面として構成している。更に、その上方の所定位置にはキャップ６との液密性を図るためのシール突条12を周設している。
【００２７】
また、先端部には容器本体２内外を閉塞する除去板部13を設けている。この除去板部13はキャップ６の後述する突部により押圧開封される如く構成したもので、完全に取り除かれる如く構成しても、一部が連結した状態で開封される如く構成しても良い。図示例では、筒部８の先端部周縁部に一部を易屈曲性のヒンジ14として破断不能に連結し、その他の周縁部を薄肉破断部15で連結した除去板部13を横設して容器本体２内外を閉塞している。
【００２８】
キャップ６は、栓本体５の押し込み可能位置に周壁16を液密に嵌合して被着し、その下部に押し込みを防止するスペーサ７を介在させ、スペーサ７を取り外した際に栓本体５に対して液密摺動しての押し込みが可能に構成している。また、周壁16の上端より頂壁17を延設している。図示例では、栓本体５の外周上部である筒部８外周上部に周壁16の下部を摺動可能に嵌合させており、具体的には周壁16の内周下部に栓本体５の前記シール突条12を摺動可能に嵌合させ、また、周壁16の内周下端部に突設した係止突条18をシール突条12を乗り越えてその下方に位置させ、上方への抜け出しを防止している。
【００２９】
また、頂部にはキャップ６の押し込み時に前記除去板部13を押圧開封する突部19及び液を流通する通液路20を設けている。図示例に於ける突部19は、頂壁17の中央部に基端を開口した筒状をなし、前記ヒンジ14形成側から対向側へ傾斜上昇する傾斜面として構成している。また、その突部19内を前記通液路20として構成している。尚、21は通液路を閉塞するシール材で、剥離可能に貼着している。
【００３０】
また、キャップ６は詰め替え対象口部に挿入可能に構成しており、収納液の詰め替えを容易に行える様に構成している。詰め替え対象口部は、詰め替え対象の容器或いは簡易タンク等の口部27などを指す。図示例では周壁16の外周下部を大径部16a に形成し、詰め替え対象容器26の口部27内にキャップ６を挿入した際、その大径部16a が前記口部27に密嵌する如く構成している。更に、詰め替え対象口部27の頂面に当接する当接面ａを備えている。具体的には周壁16の下端部よりより外方へフランジ22を周設し、その上面を当接面ａとして構成している。
【００３１】
更に、詰め替え対象口部27に嵌合させた際に通気路を形成する凹溝23をキャップ６外面に設けている。図示例では、周壁16の前記大径部16a 外周からフランジ22上面縁部に至る部分に凹溝23を形成している。大径部16a のない場合には周壁16の上端部まで凹溝23を形成する。凹溝23は等間隔に４箇所設けているが、数は限定されない。尚、凹溝を詰め替え対象口部内面に設けても良い。
【００３２】
スペーサ７はキャップの押し込みを妨害する除去可能なもので、キャップ６と一体に形成しても別体に形成しても良い。図示例は、キャップ６下面に切断可能に連結して一体に形成した例であり、前記フランジ22下面に周方向複数設けた細棒状の連結片24を介して開環状のスペーサ７を設けている。尚、25は摘みを示す。
【００３３】
上記の如く構成した薄肉容器１を使用する場合に付いて一例を説明する。通常はスペーサ７を除去した後栓本体５に対しキャップ６を押し下げることにより除去板部13を押圧開封し、容器本体２内外を連通させて使用することができる。また、詰め替え対象容器26の口部27内にキャップ６を挿入可能に構成した場合には、図４(a) に示す如く、シール材21を剥がした後薄肉容器１を倒立状態にして前記口部27内にキャップ６を挿入する。この際、大径部16a が口部27内に密嵌して安定して詰め替え対象容器26に固定でき、また、凹溝23により詰め替え対象容器26内外を連通させて空気の置換を容易に行える。次いで図４(b) に示す如くスペーサ７を切断除去し、更に、図４(c) に示す如く、栓本体５を押し下げることにより除去板部13を押圧開封して容器本体２内外を連通させ、容器本体２内の液を通液路20を介して詰め替え対象容器26に注入することができる。この際、当接面ａであるフランジ22上面が口部27の上面に当接係止されているので、例えば、栓本体５の基端部を掴んで容易に栓本体５を押し下げることができ、また、詰め替え対象容器26内の空気が通気路を介して外部に排出されて円滑な液の注入が行える。更に、除去板部13は薄肉破断部の部分が破断し、ヒンジ14を中心に回動して突部19により開放状態を維持される。          
【００３４】
図５乃至図８は、前記除去板部13をキャップ６の頂部に、前記突部19及び通液路20を栓本体５の先端部にそれぞれ設けた例を示す。図示例では、栓本体５の先端部より突設した連結片28により栓本体５の先端中央部に突設支持した突部19を設け、該突部19周囲に通液路20を形成している。具体的には、筒部８の内周上端部に、周方向複数の放射状連結片28を突設し、各連結片28の内縁部をそれぞれ外周下部に連結した棒状の突部19を、筒部８上方に突設している。その他の構成は図１の栓本体５と同様である。
【００３５】
また、キャップ６は、その頂壁17に薄肉破断部15で囲成された除去板部13を設けている。その他の構成は図１のキャップ６と同様である。
【００３６】
この場合も基本的に図１の薄肉容器１と同様の操作で液の詰め替えを行える。通常はスペーサ７を除去した後栓本体５に対しキャップ６を押し下げることにより除去板部13を押圧開封し、容器本体２内外を連通させて使用することができる。また、詰め替え対象容器26の口部27内にキャップ６を挿入可能に構成した場合には、図８(a) に示す如く、同様に薄肉容器１を倒立状態にして前記口部27内にキャップ６を嵌入する。次いで図８(b) に示す如くスペーサ７を切断除去し、更に、図８(c) に示す如く、栓本体５を押し下げることにより除去板部13を突部19により押圧開封して容器本体２内外を連通させ、容器本体２内の液を通液路20及び除去板部13を除去して開口した開口を介して詰め替え対象容器26に注入することができる。
【００３７】
図９は容器本体２として薄肉のブロー成形ボトルを採用した例を示す。本例の場合には、図１の例に於ける注出栓３の板部９及び補助フランジ10の代わりに支持フランジ11下面より嵌合筒29を垂設して構成しており、また、容器本体２は上部を口頸部32としている。そして、容器本体２の口頸部32内周に筒部８を液密に嵌合させるとともに、口頸部32外周に凹凸係合手段を介して抜け出しを防止した状態で前記嵌合筒29を嵌合させている。
【００３８】
尚、上記各部材は合成樹脂により形成することができる。
【図面の簡単な説明】
【００３９】
【図１】本発明注出栓を使用した薄肉容器の要部正面図である。（実施例１）
【図２】本発明注出栓を使用した薄肉容器の要部縦断面図である。（実施例１）
【図３】本発明注出栓の栓本体の平面略図である。（実施例１）
【図４】本発明注出栓を使用した薄肉容器の詰め替え時の説明図である。（実施例１）
【図５】本発明注出栓を使用した薄肉容器の要部正面図である。（実施例２）
【図６】本発明注出栓を使用した薄肉容器の要部縦断面図である。（実施例２）
【図７】本発明注出栓の栓本体の平面略図である。（実施例２）
【図８】本発明薄肉容器の詰め替え時の説明図である。（実施例２）
【図９】本発明注出栓を使用した薄肉容器の要部縦他ン面図である。（実施例３）
【符号の説明】
【００４０】
２…容器本体，３…注出栓，５…栓本体，６…キャップ，７…スペーサ，
13…除去板部，14…ヒンジ，15…薄肉破断部，17…頂壁，19…突部，20…通液路，
23…凹溝，24…連結片，27…詰め替え対象口部
【図１】
2005313936.tif 000003
【図２】
2005313936.tif 000004
【図３】
2005313936.tif 000005
【図４】
2005313936.tif 000006
【図５】
2005313936.tif 000007
【図６】
2005313936.tif 000008
【図７】
2005313936.tif 000009
【図８】
2005313936.tif 000010
【図９】
2005313936.tif 000011